(57)【要約】【課題】手振れを検出することなく容易にポイントの振れを防止することができるレーザポインタを提供する。【解決手段】レーザ光を発光する発光部２と、円盤３と、円盤３を回転するモータ４と、電力を供給する電源５と、電力の供給を制御するスイッチ６とを備え、円盤３を回転することにより、円盤３の回転軸に直行する方向の振れを抑制する。【選択図】図１
2006301532.tif 000002
【特許請求の範囲】
【請求項１】
レーザ光を投影するレーザポインタにおいて、
上記レーザ光を発光するレーザ発光部と、
回転子と当該回転子を回転する回転駆動部とを有し、上記回転子を回転することにより上記回転子の回転軸に直交する方向の振れを抑制する振れ抑制手段と
を備えることを特徴とするレーザポインタ。
【請求項２】
上記振れ抑制手段は、上記回転子の回転軸が上記レーザ光の光軸と同軸となるように設置されていることを特徴とする請求項１記載のレーザポインタ。
【請求項３】
上記振れ抑制手段は、上記レーザ発光部がレーザ光を発光する際に上記回転子を回転することを特徴とする請求項１記載のレーザポインタ。
【発明の詳細な説明】
【技術分野】
【０００１】
本発明は、例えばスクリーン上を指し示すレーザポインタに関し、特に、ユーザの手振れによるポインタの振れを防止するレーザポインタに関するものである。
【背景技術】
【０００２】
スクリーン上に映し出されたプレゼンテーション用の文章や画像を指し示す道具として、鮮明なポイントをスクリーン上に投影可能なレーザポインタが用いられている。しかし、レーザポインタを使用する人の手振れにより、スクリーン上でポイントが振れてしまう。
【０００３】
このような問題に対し、特許文献１乃至特許文献３では、手振れを角速度センサにより検出し、この角速度に基づいてレーザ光の向きを制御することにより、ポイントの振れを防止している。
【０００４】
【特許文献１】特開２０００−２８４２２０号公報
【特許文献２】特開平１１−８５００７号公報
【特許文献３】特開平７−２７９９９号公報
【発明の開示】
【発明が解決しようとする課題】
【０００５】
上記特許文献１乃至特許文献３のレーザポインタは、手振れを検出してレーザ光の向きを制御しているため、手振れを検出するセンサやレーザ光の向きを制御する制御回路が必要であった。
【０００６】
本発明は、このような課題を解決するために提案されたものであり、手振れを検出することなく容易にポイントの振れを防止することができるレーザポインタを提供することを目的とする。
【課題を解決するための手段】
【０００７】
上記課題を解決するために、本発明に係るレーザポインタは、レーザ光を投影するレーザポインタにおいて、上記レーザ光を発光するレーザ発光部と、回転子と当該回転子を回転する回転駆動部とを有し、上記回転子を回転することにより上記回転子の回転軸に直交する方向の振れを抑制する振れ抑制手段とを備えることを特徴としている。
【発明の効果】
【０００８】
本発明に係るレーザポインタは、筐体に固定された回転駆動部が回転子を回転することにより回転軸が一定方向を保とうとし、レーザポインタそのものの動きを抑制するため、ポイントの振れを防止することができる。
【発明を実施するための最良の形態】
【０００９】
以下、本発明の具体的な実施の形態について、図面を参照しながら詳細に説明する。具体例として示すレーザポインタは、講演会等において指示棒の代わりに用いられる、レーザ光を発する携帯可能な小型の指示装置である。
【００１０】
図１は、本発明の一実施形態に係るレーザポインタ１の内部構成を示す模式図である。このレーザポインタ１は、レーザ光を発光する発光部２と、円盤３と、円盤３を回転するモータ４と、電力を供給する電源５と、電力の供給を制御するスイッチ６とを備えて構成されている。また、このレーザポインタ１の筐体７は円筒形状であり、上述の各構成部を筐体内部に固定している。
【００１１】
発光部２は、例えば半導体レーザを備え、赤色、緑色等のレーザ光を発光する。この発光部２は、円筒形状の筐体７の一端に設けられている。
【００１２】
円盤３は、例えば、金属からなり、モータ４は、円盤３を回転させる回転軸を有している。この円盤３の質量及び外径並びにモータ４の回転速度は、手振れ抑制に必要とされる慣性力に基づいて設定される。例えば、円盤３を比重の大きな材料とし、その外径を円筒形状の筐体内で回転可能な最大のものとすることにより、円盤３は大きな慣性モーメントを持つこととなる。これにより、レーザポインタを小型にすることができる。
【００１３】
また、モータ４の回転軸はレーザ光の光軸と同軸又は平行となる様となるように設置されることが望ましい。これにより、円盤３が回転する際、円盤３の回転軸に直交する任意の軸周りに対して反力モーメントを発生し、回転軸を傾けようとする外力モーメントに対して安定化するため、スクリーン等に投影されたポイントの振れを防止することができる。
【００１４】
電源５は、例えば、乾電池や２次電池等からなり、発光部２やモータ４に電力を供給する。
【００１５】
スイッチ６は、円筒形状の筐体７の外側に設けられ、電源５からの電力の供給を制御する。例えば、スイッチ６が押圧されることにより電源５から発光部２に電力が供給されてレーザ光が発光し、スイッチ６が離されることにより発光部２への電力の供給が遮断される。
【００１６】
図２は、レーザポインタ１の回路を示す図である。この図から明らかなように、スイッチ６により閉回路とすると、電源５から発光部２及びモータ４に電力が供給され、発光部２からレーザ光が照射されるとともに、モータ４による円盤３の回転によりその回転軸が一定方向を保とうとする。また、スイッチ６により開回路とすると、発光部２及びモータ４へ電力が供給されなくなる。これにより、レーザ光を発光していない場合の電力消費を抑えることができる。
【００１７】
このようなレーザポインタ１は、モータ４によって円盤３を回転させることにより、モータ４の回転軸を傾けようとしても、慣性力による強い抵抗を受ける。つまり、回転により円盤３の回転面は一定方向に保たれ、ジャイロ効果によるレーザポインタ１そのものの動きを抑制する。これにより、スクリーン等に投影されたポインタの振れを抑制することができる。
【００１８】
また、レーザ光線の発光方向とモータ４の回転軸とを同軸上に設置することにより、スクリーン上に映し出されたポインタが小刻みに動く小さな円運動を抑制することができる。
【００１９】
なお、本発明に係るレーザポインタは、上述の実施の形態に限られるものではなく、ポイントの振れに応じてレーザ光線の発光方向とモータ４の回転軸とを設置してもよい。
【００２０】
図３に示すレーザポインタ１１は、発光部２のレーザ発光方向と、モータ４の回転軸とを垂直に設置したものである。なお、以下、図１に示すレーザポインタ１と同一の構成、要素については同一の符号を付与し、説明を省略する。このレーザポインタ１１は、例えば、モータ４の回転軸を重力方向に向けることにより、回転軸が重力方向に保たれ、ポイントの振れを抑制することができる。
【００２１】
また、図４に示すレーザポインタ１２は、モータ４を２つ用いて、それぞれのモータ４の回転軸が異なる２方向になるように設置したものである。例えば、一方のモータ４の回転軸をレーザ光線の発光方向となるように設置し、他方のモータ４の回転軸を発光方向と直交する方向となるように設置することにより、レーザ光線の発光方向とその垂直方向の２方向の振れを抑制することができる。
【００２２】
また、図５に示すレーザポインタ１３は、モータ４を３つ用いて、それぞれのモータ４の回転軸が異なる３方向になるように設置したものである。このレーザポインタ１３によれば、３方向の振れを抑制することができる。
【００２３】
また、上述の実施の形態では、回転子に円盤３を用いることとしたが、これに限られるものではなく、例えば、中空円筒、球、直方体、細長均一棒等の様々な形状の回転子を用いることができる。
【図面の簡単な説明】
【００２４】
【図１】本発明の一実施形態に係るレーザポインタの内部構成を示す模式図である。
【図２】本発明の一実施形態に係るレーザポインタの回路を示す図である。
【図３】本発明の他の実施形態に係るレーザポインタの内部構成を示す模式図である。
【図４】本発明の他の実施形態に係るレーザポインタの内部構成を示す模式図である。
【図５】本発明の他の実施形態に係るレーザポインタの内部構成を示す模式図である。
【符号の説明】
【００２５】
１    レーザポインタ、  ２    発光部、  ３    円盤、  ４    モータ、  ５    電源、  ６    スイッチ、  ７    筐体
【図１】
2006301532.tif 000003
【図２】
2006301532.tif 000004
【図３】
2006301532.tif 000005
【図４】
2006301532.tif 000006
【図５】
2006301532.tif 000007